(57)【要約】      （修正有）【課題】ビーチサンダルを足に固定し脱げてしまうことを防止できるビーチサンダルのストラップ留め具を提供する。【解決手段】ビーチサンダルの靴底に裏面側から当てる靴底当てと、靴底当てに連結され、足首に巻いて固定する平ゴムや布地からなるストラップ６、７と、を備えたストラップ留め具であって、ストラップは、鼻緒２２、２３の内側を通してから足首に巻いて固定する。【選択図】図７
0003217949.tif 000002
【実用新案登録請求の範囲】
【請求項１】
ビーチサンダルの靴底に裏面側から当てる靴底当てと、前記靴底当てに連結され、足首に巻いて固定するストラップと、を備えたストラップ留め具であって、
前記ストラップは、鼻緒の内側を通してから足首に巻いて固定することを特徴とするビーチサンダルのストラップ留め具。
【請求項２】
ビーチサンダルの靴底に裏面側から当てる靴底当てと、前記靴底当てに接続され、足首に巻いて固定するストラップと、を備えたストラップ留め具であって、
前記靴底当てと前記ストラップは、伸縮性部材を介して連結していることを特徴とするビーチサンダルのストラップ留め具。
【請求項３】
前記伸縮性部材は、前記ストラップよりも柔らかい素材を用いていることを特徴とする請求項２に記載のビーチサンダルのストラップ留め具。
【請求項４】
前記伸縮性部材は、間隔をあけて２本以上配列したことを特徴とする請求項２に記載のビーチサンダルのストラップ留め具。
【請求項５】
前記伸縮性部材は、靴底と鼻緒の間に位置することを特徴とする請求項２に記載のビーチサンダルのストラップ留め具。
【請求項６】
ビーチサンダルの靴底に裏面側から当てる靴底当てと、前記靴底当てに接続され、足首に巻いて固定するストラップと、を備えたストラップ留め具であって、
前記靴底当ては、靴底を横断する矩形板形状であることを特徴とするビーチサンダルのストラップ留め具。
【請求項７】
ビーチサンダルの靴底に裏面側から当てる靴底当てと、前記靴底当てに連結され、足首に巻いて固定するストラップと、を備えたストラップ留め具であって、
前記ストラップは、鼻緒の内側を通してから足首に巻いて固定し、
前記靴底当てと前記ストラップは、伸縮性部材を介して連結していることを特徴とするビーチサンダルのストラップ留め具。
【考案の詳細な説明】
【技術分野】
【０００１】
ビーチサンダルの要素を活かしつつ靴のように使用出来るビーチサンダルを提供するビーチサンダルに装着して足の甲、踵が浮いて脱げてしまうことを防ぐものです。
【背景技術】
【０００２】
ビーチサンダルを履いて歩いていると足音が気になり落ち着かない。
ビーチサンダルを履いて水に入ると脱げてしまう。
踵の着地が不安定な為、疲れやすい。
この改善策としてビーチサンダル本体と足を密着させる方法がある。
【先行技術文献】
【特許文献】
【０００３】
【特許文献１】実用新案登録第3209133号
【考案の概要】
【考案が解決しようとする課題】
【０００４】
ビーチサンダルを履いて歩いていると踵がビーチサンダル本体から離れる・着地するを繰り返し足元が不安定になる。    
ビーチサンダル本体と足との密着性が不十分な為、脱げやすい。
ビーチサンダルを履いて走ると更に足元の着地が悪くなり、脱げやすくなり、転倒する恐れがあり危険である。
水辺で使用する目的の多いビーチサンダルが、川や海に入ると浮いて脱げてしまう。
【課題を解決するための手段】
【０００５】
ビーチサンダルの靴底に裏面側から当てる靴底当てと、前記靴底当てに連結され、足首に巻いて固定するストラップと、を備えたストラップ留め具であって、前記ストラップは、鼻緒の内側を通してから足首に巻いて固定することを特徴とするビーチサンダルのストラップ留め具。
【考案の効果】
【０００６】
ビーチサンダル本体に足を密着させたい時に、ストラップ部やベルト部を使用する時、輪状に一本でつながっているとビーチサンダルを足に装着する時に鼻緒に装飾のあるビーチサンダルでは取り付けにくい。
ビーチサンダル本体に足を密着させたい時に、ストラップ部やベルト部を使用する時、輪状に一本でつながっていると輪の中を目掛けて足を挿入する必要があり、正しい位置に装着させる為には手直しが必要である。
【図面の簡単な説明】
【０００７】
【図１】ストラップ留め具左足用表面正面図
【図２】ストラップ留め具右足用表面正面図
【図３】ストラップ留め具左足用後ろ表面正面図
【図４】ストラップ留め具を装着した裏面底部図
【図５】ストラップ留め具を装着した前面図
【図６】ストラップ留め具を装着した表面図
【図７】右足にストラップ留め具を装着した側面図
【図８】右足にストラップ留め具を装着した上面図
【図９】右足にストラップ留め具を装着した裏面底部図
【図１０】後部に厚みのある靴底当てのストラップ留め具後ろ正面図
【図１１】靴底当て左右共通表面のストラップ留め具正面図
【図１２】左右共通のストラップ留め具を装着した裏面底部図
【図１３】左右共通の靴底当てを小さくして接続部を長くしたストラップ留め具正面図
【図１４】左右共通の靴底当てを小さくして接続部を長くし後部に厚みのあるストラップ留め具正面図
【図１５】左右共通の靴底当てを小さくして接続部を長くし中央部に厚みのあるストラップ留め具正面図
【図１６】左右共通の靴底当てを小さくして接続部を長くしたストラップ留め具を装着した裏面底部図
【図１７】左右共通の靴底当てを小さくして接続部を長くしたストラップ留め具を右足に装着した裏面底部図
【図１８】靴底当てと平ゴムテープを直線的に繋いだストラップ留め具の図
【図１９】ストラップ留め具を装着して平ゴムテープの巻き方アレンジ図
【図２０】ストラップ留め具を装着したビーチサンダルを束ねた図
【考案を実施するための形態】
【０００８】
ビーチサンダルに取り付け可能な靴底当ての実施例を説明します。
ビーチサンダルの裏面底部中央の足裏の土踏まずが当たる部分に装着するものです。
【０００９】
図１は、ビーチサンダルを履いてビーチサンダルの底面の中央部に取り付ける部分的なストラップ留め具の左足用の表面正面図です。
靴底当て１は、底にあってもある程度の強度のあるもので、全体に薄く、矩形板形状で厚さは５ｍｍ前後で、軽く、柔らかい素材で出来ていて、素材には、スポンジ、ラバーソール、天然ゴム、ＥＶＡ樹脂、プラスチック、合成樹脂、合成ゴム、ウレタンゴム、革、ポリウレタン、シリコーンなどがある。
靴底当て１の両サイドの靴底当て親指側４は横幅２ｃｍ前後で、靴底当て小指側５は横幅３ｃｍ前後で、靴底当て１の中央から靴底当て親指側４に向かって、横幅が狭く、靴底当て小指側５に向かって横幅が広くなっている。
両サイドの横幅の長さが違う為、靴底当て１の靴底当て前方２は滑らかな曲線になっていて、靴底当て後方3は、ほぼ直線になっている。
靴底当て１に連結され、足首に巻いて固定するストラップは、伸縮性のあるゴム（例えば平ゴム）や、布地からなり、本実施の例では、平ゴムテープ外側６と平ゴムテープ内側7は、柔らかい素材で、伸縮性及び弾力性を含み帯状になっている。
面ファスナー外側8と面ファスナー内側9は、フック状に起毛された面ファスナー外側8とループ状に起毛された面ファスナー内側9で着脱できる。
【００１０】
平ゴム小指側前方10と平ゴム小指側後方１２は伸縮性のある素材で出来ていて平ゴム小指側前方10は靴底当て小指側５の接続部14Ａと平ゴムテープ外側６の先端の接続部15Ｂとをつないでいる。
平ゴム小指側後方１２は靴底当て小指側５の接続部１６Ｃと平ゴムテープ外側６の先端の接続部１７Ｄとをつないでいる。
平ゴム小指側前方10と平ゴム小指側後方１２は平ゴムテープ外側６より柔らかく、伸縮性は小さくても良い。
平ゴム小指側前方10は平ゴム小指側後方１２より長くなっている。
接続部１４Ａ、１５Ｂ、１６Ｃ、１７Ｄは縫い付け、接着剤、などにより接着できる。
【００１１】
平ゴム親指側前方11と平ゴム親指側後方13は伸縮性のある素材で出来ていて平ゴム親指側前方11は靴底当て親指側４の接続部１８Ｅと平ゴムテープ内側７の先端の接続部１９Ｆとをつないでいる。
平ゴム親指側後方１３は靴底当て親指側４の接続部２０Ｇと平ゴムテープ内側７の先端の接続部２１Ｈとをつないでいる。
平ゴム親指側前方11と平ゴム親指側後方１３は平ゴムテープ内側７より柔らかく、伸縮性は小さくても良い。
平ゴム親指側前方11は平ゴム親指側後方１３より長くなっている。
接続部１８Ｅ、１９Ｆ、２０Ｇ、２１Ｈは縫い付け、接着剤などにより接着できる。
【００１２】
図２は右足用のストラップ留め具の表面正面図です。
靴底当て１は柔らかい素材の為、靴底当て親指側４と靴底当て小指側５はビーチサンダルの底面から側面に沿って曲げることが出来る。
図３は左足用のストラップ留め具の表面後ろ正面図です。
図３の様に靴底当て１に接続部１４Ａと１８Ｅ、１６Ｃと２０Ｇを直接連結させて平ゴムテープ６・７へと連結させてもよい。
図４はビーチサンダルの靴底に裏面側から当てる靴底当て１と、靴底当て１に連結され、足首に巻いて固定するストラップとからなるストラップ留め具を装着した裏面底部図です。
図４−１は左足裏面底部、図４−２は右足裏面底部で、ストラップ留め具を装着した使用例です。
【００１３】
ビーチサンダルの鼻緒をとめる前緒２４を足親指と足人差し指で挟んで使用するというビーチサンダルの構成により、前緒２４はビーチサンダル縦幅中央より親指側に寄っている為、靴底当て１は親指１本を支える靴底当て親指側４よりも、足指４本を支える靴底当て小指側５の方が横幅が広くなっている。
靴底当て１の靴底当て後方3はビーチサンダル裏面底部の鼻緒をとめる小指側横緒２
５より前方から親指側横緒２６の前方を結ぶ様に靴底当て親指側４と靴底当て小指側５の両サイドを横断させる。
【００１４】
図５−１はビーチサンダルにストラップ留め具を装着した右足前面図です。
図５−２はビーチサンダルにストラップ留め具を装着した左足前面図です。
親指側鼻緒２３の内側に平ゴムテープ内側７を通して小指側鼻緒２２の内側に平ゴムテープ外側６を通すことで靴底当て１が離脱することを防ぐ。
【００１５】
図６−１はビーチサンダルにストラップ留め具を装着した左足表面図です。
図６−２はビーチサンダルにストラップ留め具を装着した右足表面図です。
図７は実際にビーチサンダルを履いてストラップ留め具を装着した右足の図でビーチサンダルの裏面底部に靴底当て１を図４−２の様に横断させて図５−１の様に小指側鼻緒２２と親指側鼻緒２３の内側に平ゴムテープ外側６と平ゴムテープ内側７の平ゴムテープ６・７を通して後ろに引っ張りながら足甲部で交差させてビーチサンダルに足を押さえつけて靴底当て１と足でビーチサンダルを挟む様にしてビーチサンダルに足を密着させる。
【００１６】
ビーチサンダルに足を密着させたまま平ゴムテープ６・７を更に後ろに引っ張るように足首後部アキレス腱付近に回して巻き付けて、面ファスナー外側8と面ファスナー内側9の面ファスナー８・９でビーチサンダルに足の踵を更に固定する。
平ゴムテープ６・７は直接素肌に触れる部分なので素肌が傷つかないように伸縮性・弾力性・柔軟性のある柔らかい素材で出来ている。 
足に巻き付けた時や歩行時に肌に食い込まないように、又、密着性を増すために帯状で幅は１ｃｍ以上が好ましい。
平ゴムテープ６・７の先端には面ファスナー８・９が付いていて、すぐに着脱出来るように、又、足首まわりの大きさにあわせてサイズ調整が出来るように、面ファスナー８・９の長さや幅は１ｃｍ以上が好ましい。
【００１７】
尚、平ゴムテープ外側６と平ゴムテープ内側７は同じ構造なのですが、図面では別々に分けて符号を付けて書いています。
面ファスナー外側8と面ファスナー内側9は面ファスナーの構造より、フック状に起毛された片方とループ状に起毛された片方とで対になっているので図面では別々に分けて符号を書いていますがどちらが内側でも外側でも良い。
面ファスナー８・９は面ファスナー１対を端部につけるか、どちらか１方をフック状に起毛された片面にして、もう１方を平ゴムテープ６・７の１方を含む全体をループ状に起毛された片面の素材を使用することで、どこでもとめられる様になる。
【００１８】
靴底当て１と平ゴム小指側前方10と平ゴム小指側後方１２の二本と平ゴム親指側前方11と平ゴム親指側後方１３の二本の柔軟性のある素材で平ゴムテープ６・７をそれぞれ連結することで、靴底当て１とビーチサンダルが足の動きに追従して歩行がスムースになり、靴底当て１と平ゴムテープ６・７の連結部は二本の方が靴底当て１とビーチサンダル本体と足がフィットしやすく伸縮性のある平ゴムテープ６・７で足首を固定することで更に密着性が増す。
靴底当て１を装着して小指側鼻緒２２と親指側鼻緒２３に平ゴムテープ６・７をそれぞれ通した後、平ゴムテープ６・７を持ってビーチサンダルが履けるので足の指が前緒２４に入りやすくなり履きやすくなる。
平ゴムテープ６・７は利き手によって足甲部の右上で交差してからでも左上で交差してからでも足首に巻き付けても良い。
ビーチサンダルの裏面底部中央の足裏の土踏まずが当たる部分に靴底当て１を補足することで土踏まず部のアーチを保護できる。
【００１９】
全体的に柔らかい素材で出来ているビーチサンダル本体は路面の凹凸の衝撃を直接的に感じやすく場合によっては疲労を早める事になり、ビーチサンダルの靴底に裏面側から当てる靴底当て１を装着しビーチサンダル本体を補強する事で衝撃を和らげる事ができる。
全体的に柔らかい素材で出来ているビーチサンダル本体は土踏まず部分の強度に欠ける為、ビーチサンダルの靴底に裏面側から当てる靴底当て１を装着することで土踏まず部分を補強することができ長時間履いていても疲れにくくなる。
靴底当て１は滑り止め加工されていた方がより良い。
靴底当て１は水に強く消耗が少なく、熱い砂浜でも耐久性に優れ、滑りにくい構造や素材が良い。
面ファスナー８・９は足首後ろでとめなくても平ゴムテープ６・７の長さを調節することで足首横でとめられる。
【００２０】
ビーチサンダルの小指側鼻緒２２、親指側鼻緒２３と足の間に隙間が少なく小指側鼻緒２２、親指側鼻緒２３の内側に平ゴムテープ６・７が通せない時は、小指側鼻緒２２と親指側鼻緒２３の外側から足甲部に交差させて足首に巻き付けても良い。
靴底当て親指側４と靴底当て小指側５がビーチサンダル側面に沿って密着して曲げることが出来れば靴底当て１は柔らかくても硬くても良い。
靴底当て１は同一の素材により一体に形成されるものではあるがこれに限られるものでなくてもよい。例えば靴底当て１を硬い素材にする場合は靴底当て親指側４と靴底当て小指側５は強度や耐久性があれば靴底当て１よりも柔らかく、しなやかで、ビーチサンダル側面にそって密着性があれば良い。
靴底当て１の横幅がビーチサンダル本体と同等の横幅、又は小さくした場合は、歩行時にビーチサンダル本体の側面と各接続部が擦れて各接続部の強度が落ちて擦り切れない様に各接続部の強度を増した方が良い。
伸縮性を有する材料により形成されるものであるがこれに限られるものではない。
【００２１】
図８はビーチサンダルを履いてストラップ留め具を装着した右足の上面図です。
図９はビーチサンダルを履いてストラップ留め具を装着した右足の裏面底部図です。
図１０は左足用のストラップ留め具の後ろ正面図です。図１と違うのは図１のストラップ留め具の靴底当て前方２の薄さはそのままで靴底当て後方3の厚みを増すことで更に
土踏まずのアーチを刺激しマッサージ効果が期待できる。
図１１はストラップ留め具の靴底当て前方２をほぼ直線にした表面正面図です。図１と違うのは靴底当て前方２と靴底後方3がほぼ直線の為、右足用・左足用と気にせず装着
できる。
図１２は図１１のストラップ留め具を装着した時のビーチサンダルの左右裏面底部図です。
【００２２】
図１３は靴底当て１の横幅をビーチサンダルの横幅よりも小さくして平ゴム１０・１１・１２・１３を長くしています。平ゴムが直接地面に触れて擦り切れない様に接続部１４Ａ・１６Ｃ・１８Ｅ・２０Ｇはビーチサンダル底と靴底当て１の間に接続面を挟む様に接続している靴底当て１正面図です。  
図１４は図１３の靴底当て後方3に厚みを増した形態です。
靴底当て１の面積を小さくした分ピンポイントでの足裏のツボを刺激する効果が期待出来る。
図１５は図１３の足裏の土踏まずが当たる部分を刺激するように盛り上がりを付けることで足裏のマッサージ効果と足裏のツボを刺激する効果が期待でき、土踏まずのアーチを補助する効果が期待出来る。
【００２３】
図１６は図１３・図１４・図１５のストラップ留め具を装着したビーチサンダル左右裏面底部図です。
図１７は図１３・図１４・図１５のストラップ留め具を実際に足に装着した右足の裏面底部図です。
図１８は平ゴムテープ６・７と靴底当て１をほぼ同じ幅で接続した図で、靴底当て１の縦幅の面積を小さくし、接続部を少なくしたことでコストの削減が期待出来る。
図１９−１は平ゴムテープ６・７の巻き方の実施例として小指側鼻緒２２と親指側鼻緒２３の内側に通した平ゴムテープ６・７を足首後ろで交差させて足首前でとめる。
図１９−２は右足に実際にビーチサンダルを履いてストラップ留め具を装着した平ゴムテープ６・７の巻き方の実施例で、開放感とデザイン性に優れているが足の甲の部分をビーチサンダルに押さえつけない為、密着度は軽減される。
鼻緒２２・２３の下に平ゴムテープ６・７を通すことで足と鼻緒２２・２３で平ゴムテープ６・７が押さえられて、巻き方を変えてもビーチサンダルが足から離脱することがない。
【００２４】
図２０はビーチサンダル本体にストラップ留め具を装着して面ファスナー８・９をとめたままビーチサンダル本体の裏面底部を向かい合わせにした状態で併せ巻く事で持ち運びやすく収納がしやすくなる。
ビーチサンダルを履いての歩行に際して柔軟性や足当たりの良いストラップ留め具である。
靴底当て１をビーチサンダルの底面に密着させ、より足に密着するように平ゴムテープ６・７を鼻緒２２・２３の内側を通して後方に引っ張って面ファスナー８・９で固定させる為、靴底当て１の幅や距離の関係から、平ゴム小指側前方１０は平ゴム小指側後方１２より長くなっていて、平ゴム親指側前方１１は平ゴム親指側後方１３より長くなっている。
靴底当て１とビーチサンダルの靴底の間に隙間が出来ない様に密着させる方法には、ビーチサンダルの靴底に靴底当て１を縫い付ける、焼き付ける、両面テープや接着剤などで貼り付けるなど、隙間なく密着、固定することも出来る。
靴底当て１の靴底当て前方２を板状に薄く滑らかにすることで、ストラップ留め具を装着していても歩行時に違和感なく滑り込む様に足が踏み込め着地出来る。
ビーチサンダルの靴底に裏面側から当てる靴底当て１は路面の凸凹に引っ掛からない 
様に、砂や砂利が入らない様に、ビーチサンダルの靴底と靴底当て１の間に隙間が出来ない様に密着させる必要があり、靴底当て前方２を板状に薄く滑らかにし、平ゴムテープ６・７を鼻緒２２・２３の内側を通し、足と鼻緒２２・２３で平ゴムテープ６・７を挟み、平ゴム１０・１１がビーチサンダルの後方に引っ張られる事でビーチサンダルの靴底と靴底当て前方２が密着し、更に平ゴムテープ６・７を足甲部に交差させてビーチサンダルに足を押さえ付けることで靴底当て１の密着度が増し、更に足首に巻き付けて面ファスナー８・９で固定することで靴底当て１とビーチサンダルの靴底との間に隙間が出来ない様にする。
【００２５】
ビーチサンダルでの歩行の際に足が踊らない様に足をビーチサンダル本体に密着させる役割があるストラップ留め具である。
ビーチサンダルは前緒２４を足の指で挟んで鼻緒２２・２３を足の甲で支えてビーチサンダル本体を持ち上げて歩行するので足の指と足の甲への負担が大きく、ストラップ留め具を装着することで足甲部と足首に巻き付けた平ゴムテープ６・７がビーチサンダル本体を持ち上げる手助けをすることで足の指と足の甲への負担が軽減する。
【００２６】
平ゴムテープ６・７は伸縮性のある素材を使用し、調整がきく構造であり、体積の変化に対応し足に常時密着することが出来るストラップ留め具である。
平ゴムテープ６・７が足の甲と踵を固定することで川や海に入ってもビーチサンダルが脱げて流されてしまうことを防ぐ事ができるストラップ留め具である。
平ゴムテープ６・７が足の甲と踵を固定することでビーチサンダル本体と足との接着面が増す為、安定した歩行ができ、足の着地がズレてビーチサンダル本体から足が落脱することを防ぐ。
ビーチサンダルと足の踵が安定して着地することで歩行時の足音が気にならなくなる。
既存のビーチサンダルに取り付けられることで今ある資源を有効活用することが出来る。
【００２７】
ビーチサンダルは特に海や川で使用するものなので、熱い砂浜や岩場などを動き回るときにはビーチサンダル本体と足が密着して安定していた方が安全で、ストラップ留め具を装着することで安全度が増す。
【００２８】
平ゴムテープ６・７は柄物や絵があり、シンプルであり、カラフルであり、かつ、名前や企業名が書き込める。
平ゴムテープ６・７に、ビーズ、スパンコール、刺繍、フリンジなどを付けることでデザイン性が増す。
ビーチサンダルは土踏まずを支える部分がアーチ状になっておらず、側面のサポートもなく履いている人の姿勢にもほとんど変化がない。そのため、長時間はいていると骨にずれが生じ、ひざ、腰、背中に痛みが生じる恐れがあり、又、足を固定するものが何もないため、転倒、足首の捻挫、骨折の原因にもなりうる為、ストラップ留め具を装着することにより土踏まずを支持し、足を固定することが出来、体のバランスがとりやすくなる。
ビーチサンダルを履いて歩いているとビーチサンダルが脱げない様にと無意識に前緒２４を掴む足指に無理な力が入ったり、不自然な歩き方になったりする為、疲労しやすいが、ストラップ留め具を装着することで足がビーチサンダルに固定されるので脱げてしまう事を気にすることなく疲労が軽減される。
ビーチサンダルが脱げない様にと常に前緒２４を挟んで掴んでいる足の指の間は摩擦を受けやすく、靴擦れや痛みを伴いやすいがストラップ留め具を装着して足とビーチサンダルを安定させることで足指の負担を軽減出来る。
【００２９】
ストラップ留め具は、ビーチサンダルに限らず、鼻緒を有する履物に取り付け可能で 
ある。
【００３０】
ストラップ留め具は、ビーチサンダルを足に固定することが目的ですが、災害時や緊急時に板状の物、スリッパ、タオル、壊れた靴などを応急処置として、ストラップ留め具で足に巻き付けることで足を保護することが出来る。                        
【符号の説明】
【００３１】
１  靴底当て
２  靴底当て前方
３  靴底当て後方
４  靴底当て親指側
５  靴底当て小指側
６  平ゴムテープ外側
７  平ゴムテープ内側
８  面ファスナー外側
９  面ファスナー内側
１０  平ゴム小指側前方
１１  平ゴム親指側前方
１２  平ゴム小指側後方
１３  平ゴム親指側後方
１４  接続部Ａ
１５  接続部Ｂ
１６  接続部Ｃ
１７  接続部Ｄ
１８  接続部Ｅ
１９  接続部Ｆ
２０  接続部Ｇ
２１  接続部Ｈ
２２  小指側鼻緒
２３  親指側鼻緒
２４  前緒
２５  小指側横緒
２６  親指側横緒
【図１】
0003217949.tif 000003
【図２】
0003217949.tif 000004
【図３】
0003217949.tif 000005
【図４】
0003217949.tif 000006
【図５】
0003217949.tif 000007
【図６】
0003217949.tif 000008
【図７】
0003217949.tif 000009
【図８】
0003217949.tif 000010
【図９】
0003217949.tif 000011
【図１０】
0003217949.tif 000012
【図１１】
0003217949.tif 000013
【図１２】
0003217949.tif 000014
【図１３】
0003217949.tif 000015
【図１４】
0003217949.tif 000016
【図１５】
0003217949.tif 000017
【図１６】
0003217949.tif 000018
【図１７】
0003217949.tif 000019
【図１８】
0003217949.tif 000020
【図１９】
0003217949.tif 000021
【図２０】
0003217949.tif 000022